(57)【要約】【課題】ランプの点灯状態を適切に表示する表示装置２０を、コスト増、外形の大型化をすることなく１００Ｖと２００Ｖとのいずれの配電システムにも対応可能とすることを目的とする。【解決手段】放電灯点灯装置１０は、単相３線式配電システムの両端の端子の少なくともいずれかの端子に設けられた電源開閉スイッチを通じて供給される電圧によりランプを点灯させる。また、放電灯点灯装置１０は、上記電源開閉スイッチの所定の操作を検出して所定のアルゴリズムによりランプの点灯状態を制御する。表示装置２０は、上記単相３線式配電システムの中性線に一端が接続されるとともに、他端が上記電源開閉スイッチが設けられた端子に接続される。また、上記電源開閉スイッチが設けられた端子に接続された線を介して、放電灯点灯装置１０に取り付けられたランプの点灯状態の変更を検出して、変更後の点灯状態を表示する。【選択図】図１
2009259489.tif 000002
【特許請求の範囲】
【請求項１】
単相３線式配電システムの両端の端子の少なくともいずれかの端子に設けられた電源開閉スイッチを通じて供給される電圧によりランプを点灯させる点灯装置であって、上記電源開閉スイッチの所定の操作を検出して所定のアルゴリズムによりランプの点灯状態を制御する点灯装置に取り付けられたランプの上記点灯状態を表示する表示装置であり、
上記単相３線式配電システムの中性線に一端が接続されるとともに、他端が上記電源開閉スイッチが設けられた端子に接続される接続部と、
上記接続部を介して上記点灯装置に取り付けられたランプの点灯状態の変更を検出して、変更後の点灯状態を示す表示レベルを設定する表示制御部と、
上記表示制御部が設定した表示レベルを表示する表示部と
を備えることを特徴とする表示装置。
【請求項２】
上記表示制御部は、上記接続部を介して上記電源開閉スイッチの上記所定の操作を検出して上記所定のアルゴリズムにより上記点灯装置の点灯状態の変更を検出する
ことを特徴とする請求項１に記載の表示装置。
【請求項３】
上記表示装置は、
上記表示制御部が設定した表示レベルを記憶する不揮発性メモリを備え、
上記表示部は、上記不揮発性メモリが記憶した表示レベルを表示する
ことを特徴とする請求項１又は２に記載の表示装置。
【請求項４】
上記表示部は、発光体を有し、上記発光体の発光のさせ方により表示レベルを表示するとともに、上記電源から電流が供給されない場合と、上記点灯状態が最も明るい表示レベルの場合の少なくともいずれかの場合には、発光体を発光しない
ことを特徴とする請求項１から３までのいずれかに記載の表示装置。
【請求項５】
上記表示部は、複数の発光体を有し、表示レベルに応じて、上記発光体のうち、いずれか１つの発光体を発光する
ことを特徴とする請求項１から４までのいずれかに記載の表示装置。
【請求項６】
上記表示部は、略直線上に配置された複数の発光体を有し、表示レベルに応じて発光する発光体の数を変更する
ことを特徴とする請求項１から５までのいずれかに記載の表示装置。
【請求項７】
上記表示装置は、上記電源開閉スイッチが収納されたスイッチボックスに収納される
ことを特徴とする請求項１から６までのいずれかに記載の表示装置。
【請求項８】
上記表示装置は、
上記ランプの複数の点灯状態それぞれに対応して設けられた複数の操作部と、
いずれかの上記操作部が操作されると、操作に対応する上記ランプの点灯状態を上記点灯装置が新たな点灯状態として確定するために必要とされる上記電源開閉スイッチの操作に相当する上記電源のスイッチング状態を生成し、生成した上記スイッチング状態に基づいて上記交流電力を上記点灯装置に供給するとともに、操作に対応する上記ランプの点灯状態を示す表示レベルを上記表示部に表示させる操作変換部と
を備えることを特徴とする請求項１から７までのいずれかに記載の表示装置。
【請求項９】
点灯装置と表示装置とを備える照明システムであり、
上記点灯装置は、
単相３線式配電システムの両端の端子の少なくともいずれかの端子に設けられた電源開閉スイッチを通じて供給される電圧によりランプを点灯させる点灯制御部と、
上記電源開閉スイッチの所定の操作を検出して所定のアルゴリズムにより点灯状態を変更して、上記点灯制御部に変更した点灯状態でランプを点灯させる設定値変更部とを備え、
上記表示装置は、
上記単相３線式配電システムの中性線に一端が接続されるとともに、他端が上記電源開閉スイッチが設けられた端子に接続される接続部と、
上記接続部を介して上記点灯装置の点灯状態の変更を検出して、変更後の点灯状態を示す表示レベルを設定する表示制御部と、
上記表示制御部が設定した表示レベルを表示する表示部と
を備えることを特徴とする照明システム。
【請求項１０】
上記電源開閉スイッチは、上記単相３線式配電システムの両端の端子を同時に開閉する両切りスイッチであり、
上記点灯装置は、上記単相３線式配電システムの両端の端子それぞれに端部が接続される
ことを特徴とする請求項９に記載の照明システム。
【請求項１１】
上記電源開閉スイッチは、上記単相３線式配電システムの両端の端子のいずれか一方のみを開閉する片切りスイッチであり、
上記点灯装置は、一端が上記単相３線式配電システム中性線に接続され、他端が上記電源開閉スイッチにより開閉される端子に接続される
ことを特徴とする請求項９に記載の照明システム。
【請求項１２】
上記電源開閉スイッチは、上記単相３線式配電システムの両端の端子のいずれか一方のみを開閉する片切りスイッチであり、
上記表示装置の上記接続部は、上記他端が上記電源開閉スイッチにより開閉される端子に接続される
ことを特徴とする請求項９に記載の照明システム。
【発明の詳細な説明】
【技術分野】
【０００１】
本発明は、例えば、ランプの点灯状態を表示する表示装置、及び、上記表示装置を備える照明制御システムに関する。
【背景技術】
【０００２】
近年の省エネへの取り組みは、各業界で様々な形態で行われている。照明器具は、施設に必ず設置され、且つ、施設で使用している電力の大半を消費する。そのため、省エネ効果を上げるには、照明器具の照度を適切に設定することが望ましい。
そこで、連続調光機能を持った器具を設け、常に適切な照度に設定する照明器具がある。また、連続調光器具は、調光システムと一体で使用しなければならなく、コストおよび設置工事で通常器具に比べ大幅にコストアップおよび工数アップを余儀なくされるため、電源のＯＦＦ／ＯＮ操作により簡易的に照度を変更する照明器具がある。
【特許文献１】特開平３−２６９９９６号公報
【発明の開示】
【発明が解決しようとする課題】
【０００３】
しかし、従来の照明器具では、設定される調光レベル（照度）が複数あると、使用している調光レベルがどのレベルであるか判別するのが困難である。そこで、調光レベルを表示する表示装置が必要である。
また、表示装置を設けた場合、照明用配線システムには１００Ｖ系と２００Ｖ系があり、表示装置もその電源電圧に合わせて複数用意する必要がある。表示装置を１００Ｖ〜２００Ｖのいずれの電圧でも動作可能にすることも考えられるが、回路が複雑になるとともに、内部回路を動作させるための電源回路での損失が大きくなり、コスト増を招き、さらに外形が大きくなる恐れがある。
本発明は、例えば、照明器具の点灯状態を適切に表示することを目的とする。また、照明器具の点灯状態を適切に表示する表示装置を、コスト増、外形の大型化をすることなく１００Ｖ系と２００Ｖ系とのいずれの配電システムにも対応可能とすることを目的とする。
【課題を解決するための手段】
【０００４】
本発明に係る表示装置は、例えば、単相３線式配電システムの両端の端子の少なくともいずれかの端子に設けられた電源開閉スイッチを通じて供給される電圧によりランプを点灯させる点灯装置であって、上記電源開閉スイッチの所定の操作を検出して所定のアルゴリズムによりランプの点灯状態を制御する点灯装置に取り付けられたランプの上記点灯状態を表示する表示装置であり、上記単相３線式配電システムの中性線に一端が接続されるとともに、他端が上記電源開閉スイッチが設けられた端子に接続される接続部と、上記接続部を介して上記点灯装置に取り付けられたランプの点灯状態の変更を検出して、変更後の点灯状態を示す表示レベルを設定する表示制御部と、上記表示制御部が設定した表示レベルを表示する表示部とを備えることを特徴とする。
【発明の効果】
【０００５】
本発明に係る表示装置は、１００Ｖ系で動作するとともに、２００Ｖ系で動作する点灯装置の点灯状態の制御を検出することが可能である。つまり、本発明に係る表示装置によれば、回路構成を複雑にすることなく、１００Ｖ系の配電システムに取り付けられる点灯装置だけでなく、２００Ｖ系の配電システムに取り付けられる点灯装置の点灯状態も表示可能である。
【発明を実施するための最良の形態】
【０００６】
実施の形態１．
この実施の形態では、１００Ｖ系と２００Ｖ系とのいずれの配電システムに取り付けられた放電灯点灯装置１０であっても、その点灯状態の表示が可能な表示装置２０を備える照明制御システム１について説明する。
【０００７】
図１は、照明制御システム１の回路図である。
照明制御システム１は、単相３線式配電システム３０に接続される。
単相３線式配電システム３０は、中性線が接地されており、中性線以外の２線は同相で同一の電圧を供給する。つまり、単相３線式配電システム３０は、中性線と中性線以外の２線のいずれかの線とを使用する場合には１００Ｖを得られ、中性線以外の２線を使用する場合には２００Ｖを得られる配線システムである。
単相３線式配電システム３０の両端の端子（中性線以外の２線）には、上記両端の端子を同時にＯＦＦ／ＯＮする電源開閉スイッチ（両切りスイッチ３１）が設けられている。
【０００８】
照明制御システム１は、放電灯点灯装置１０、表示装置２０を備える。放電灯点灯装置１０は照明器具に内蔵される。表示装置２０は、照明器具に内蔵されてもよいし、照明器具とは別の器具であってもよい。
放電灯点灯装置１０は、単相３線式配電システム３０の両端の端子に接続部が接続される。つまり、放電灯点灯装置１０は両切りスイッチ３１でＯＦＦ／ＯＮ操作される２００Ｖ系の電源に接続部が接続される。
表示装置２０は、単相３線式配電システム３０の中性線に接続部の一端が接続されるとともに、接続部の他端が中性線以外の２線のいずれかに接続される。つまり、表示装置２０は両切りスイッチ３１の一線（図１では上側の一線）と中性線とに接続部が接続される。
放電灯点灯装置１０と表示装置２０とは、少なくとも一端が両切りスイッチ３１に接続されているため、両切りスイッチ３１のＯＦＦ／ＯＮ操作により、同時に電源が印加、遮断される。
【０００９】
放電灯点灯装置１０について説明する。
放電灯点灯装置１０は、電源整流回路部１１、アクティブフィルタ回路部１２、インバータ回路部１３、負荷回路部１４、ドライブ回路部１５、電源同期回路部１６、制御電源回路部１７、ランプ検出回路部１８、マイクロコンピュータ１９を備える。
電源整流回路部１１は、電源電圧の整流、及び、ノイズの除去を行う回路である。
アクティブフィルタ回路部１２は、電源電圧波形に沿ってスイッチングを行うことにより、電源電圧を所定の直流電圧に昇圧すると共に入力電流波形を整形して力率を改善する回路である。
インバータ回路部１３は、アクティブフィルタ回路２で昇圧された直流電圧を、ドライブ回路５から出力される逆極性の電圧でＦＥＴＱ１、Ｑ２を交互にスイッチングすることにより、高周波電圧を発生させ、負荷回路部１４を動作させる回路である。インバータ回路部１３は、出力設定が複数できるように複数の点灯周波数を持っているが、ここでは、高出力（全光）、中間出力、低出力の３段階の周波数に設定できるものとする。
負荷回路部１４は、インダクタＬ１、コンデンサＣ２の共振を利用して、放電灯へ出力電圧を印加して点灯させる回路である。
ドライブ回路部１５は、マイクロコンピュータ１９からの出力に基づきインバータ回路部１３を駆動させる回路であり、インバータ回路部１３によるＦＥＴＱ１、Ｑ２のスイッチングを制御する回路である。
電源同期回路部１６は、電源のＯＦＦ／ＯＮを検出する回路である。電源同期回路部１６は、電源周期に同期した矩形波電圧を検出し、電源ＯＮのときは、矩形波電圧の発生によりＯＮ判断し、電源ＯＦＦのときは、矩形波電圧が発生しないことにより、ＯＦＦ判断する。また、電源同期回路部１６は、検出した電源のＯＦＦ／ＯＮを示す信号をマイクロコンピュータ１９へ入力する。
制御電源回路部１７は、マイクロコンピュータ１９を駆動する電源回路である。制御電源回路部１７は、電源がＯＦＦされた後も５秒程度はマイクロコンピュータ１９が動作できるようにする。
ランプ検出回路部１８は、ランプが無いことを検出して、その情報をマイクロコンピュータ１９へ入力する回路である。
マイクロコンピュータ１９は、搭載した不揮発性ＲＡＭ（Ｒａｎｄｏｍ  Ａｃｃｅｓｓ  Ｍｅｍｏｒｙ）に後述する所定のアルゴリズムのプログラムを記憶する。マイクロコンピュータ１９は、電源同期回路部１６が入力した電源ＯＦＦ／ＯＮを示す信号に基づき、上記所定のアルゴリズムでランプの点灯状態を制御する。つまり、マイクロコンピュータ１９は、電源同期回路部１６が入力した電源ＯＦＦ／ＯＮを示す信号に基づき、上記所定のアルゴリズムでドライブ回路部１５を制御することによって、インバータ回路部１３の周波数を制御し、ランプの点灯状態を制御する。また、ランプ検出回路部１８が入力したランプが無いことを示す信号に基づき、ドライブ回路部１５の動作を停止する。
【００１０】
表示装置２０について説明する。
表示装置２０は、電源整流回路部２１、電源同期回路部２２、制御電源回路部２３、表示部２４、マイクロコンピュータ２５（表示制御部）を備える。
電源整流回路部２１、電源同期回路部２２、制御電源回路部２３は、それぞれ、電源整流回路部１１、電源同期回路部１６、制御電源回路部１７と同様である。つまり、電源整流回路部２１は、電源電圧の整流、及び、ノイズの除去を行う。電源同期回路部２２は、電源のＯＦＦ／ＯＮを検出して、検出した電源のＯＦＦ／ＯＮを示す信号をマイクロコンピュータ２５へ入力する。制御電源回路部２３は、電源がＯＦＦされた後も５秒程度はマイクロコンピュータ２５が動作できるようにする。
表示部２４は、表示のための複数のＬＥＤ（表示素子、発光体）から構成される。表示部２４は、マイクロコンピュータ２５の制御により、放電灯点灯装置１０に取り付けられたランプの点灯状態を上記ＬＥＤにより表示する。
マイクロコンピュータ２５は、搭載した不揮発性ＲＡＭに、放電灯点灯装置１０のマイクロコンピュータ１９が搭載した不揮発性ＲＡＭに記憶した所定のアルゴリズムと同様のアルゴリズムのプログラムを記憶する。マイクロコンピュータ２５は、電源同期回路部２２が入力した電源ＯＦＦ／ＯＮを示す信号に基づき、上記所定のアルゴリズムでランプの点灯状態の変更制御を検出して、変更制御後の点灯状態を示す表示レベルを不揮発性ＲＡＭに設定する。そして、マイクロコンピュータ２５は、設定した表示レベルを表示部２４に表示させることで、ランプの点灯状態を表示部２４に表示させる。つまり、マイクロコンピュータ２５は、放電灯点灯装置１０が備えるマイクロコンピュータ１９がランプの点灯状態を制御するのと同じアルゴリズムで表示部２４の表示を制御することにより、放電灯点灯装置１０に取り付けられたランプの点灯状態を表示部２４に表示させる。
【００１１】
次に、電源開閉スイッチのＯＦＦ／ＯＮ操作によるランプの点灯状態の制御について説明する。
図２は、電源開閉スイッチのＯＦＦ／ＯＮ操作によるランプの点灯状態を制御する動作の一例を示す図である。図２では、一例として、ランプを中間出力で点灯させている状態から低出力で点灯させている状態へと変更制御する動作を示す。
まず、放電灯点灯装置１０は、ランプを中間出力点灯させている。この状態で、電源開閉スイッチにより、電源がＯＦＦされ、ＯＦＦされてから０．１秒以上３秒以内にＯＮされ、さらにＯＮされてから０．１秒以上３秒以内にＯＦＦされ、またさらにＯＦＦされてから０．１秒以上３秒以内にＯＮされる。そして、３秒経過すると、放電灯点灯装置１０は、ランプを中間出力点灯から低出力点灯へ変更する。つまり、放電灯点灯装置１０は、所定の間隔（ここでは、０．１秒以上３秒以内）内で電源のＯＦＦ／ＯＮが２回繰り返されると、ランプの点灯状態を１段階暗い状態へ変更制御する。
すなわち、放電灯点灯装置１０が備えるマイクロコンピュータ１９は、電源同期回路部１６が検出した電源ＯＦＦ／ＯＮに基づき、所定の時間（ここでは、０．１秒以上３秒以内）間隔で電源のＯＦＦ／ＯＮが２回繰り返されると、ランプの点灯状態を変更制御するというアルゴリズムのプログラムを搭載した不揮発性ＲＡＭに記憶しており、そのアルゴリズムに従い点灯状態を１段階暗い状態へ変更制御する。
なお、制御電源回路部１７が電源がＯＦＦになってから５秒程度はマイクロコンピュータ１９が動作できるようにしているため、マイクロコンピュータ１９により電源がＯＦＦであった時間が３秒以内であるか否かを判定することができる。
【００１２】
図３、図４は、電源開閉スイッチのＯＦＦ／ＯＮ操作によるランプの点灯状態を制御する動作の図２とは異なる例を示す図である。
図３に示す例では、放電灯点灯装置１０は、所定の時間（ここでは、０．１秒以上３秒以内）間隔で電源のＯＦＦ／ＯＮが３回繰り返されると、ランプの点灯状態を１段階暗い状態へ変更制御する。
図４に示す例では、放電灯点灯装置１０は、所定の時間（ここでは、０．１秒以上３秒以内）間隔で電源のＯＦＦ／ＯＮが４回繰り返されると、ランプの点灯状態を１段階暗い状態へ変更制御する。
つまり、点灯状態変更制御アルゴリズムにおける電源のＯＦＦ／ＯＮ操作の繰り返し回数は何度であってもよい。なお、点灯制御をさせる電源のＯＦＦ／ＯＮ操作の繰り返し回数を多くすることで、瞬停、サグ等の電源変動による誤動作が生じる確率が低下する。しかし、操作性を考慮すると、ＯＦＦ／ＯＮ操作の回数は２、３回程度が望ましい。また、電源開閉スイッチのＯＦＦ／ＯＮの間隔は３秒を越えても構わないが、操作性を考慮すると、３秒以内が望ましい。
また、上記の例ではいずれも所定の電源ＯＦＦ／ＯＮ操作があった場合に、ランプの明るさを１段階暗くするとしたが、ランプの明るさを１段階明るくしてもよい。
【００１３】
図５は、電源開閉スイッチのＯＦＦ／ＯＮ操作によるランプの点灯状態を初期化する動作の一例を示す図である。図５では、一例として、ランプを中間出力で点灯させている状態から初期状態（高出力）で点灯させている状態へと変更制御する動作を示す。
図５に示す例では、放電灯点灯装置１０は、所定の間隔（ここでは、０．１秒以上３秒以内）内で電源のＯＦＦ／ＯＮが５回繰り返されると、ランプの点灯状態を初期状態へ変更制御する。
なお、次の明るさへの点灯状態の変更制御と初期状態への制御とは、倍以上の電源のＯＦＦ／ＯＮ操作回数で区別するのが誤操作防止などの観点から望ましい。そのため、例えば、図２に示す電源のＯＦＦ／ＯＮが２回の繰り返しで次の明るさへの点灯状態の変更制御を行い、図５に示す電源のＯＦＦ／ＯＮが５回の繰り返しで初期状態へ変更制御するのが望ましい。
【００１４】
次に、放電灯点灯装置１０により、ランプの点灯状態が変更制御された場合の表示装置２０の動作について説明する。
上述したように、両切りスイッチ３１を操作して電源のＯＦＦ／ＯＮをすると、放電灯点灯装置１０と表示装置２０とへの電源が同時に印加、遮断される。つまり、放電灯点灯装置１０の電源同期回路部１６が検出する電源のＯＦＦ／ＯＮと同一の電源のＯＦＦ／ＯＮを表示装置２０の電源同期回路部２２が検出する。また、表示装置２０のマイクロコンピュータ２５は、放電灯点灯装置１０のマイクロコンピュータ１９が搭載した不揮発性ＲＡＭに記憶したアルゴリズムと同じアルゴリズムを、搭載した不揮発性ＲＡＭに記憶している。つまり、放電灯点灯装置１０のマイクロコンピュータ１９が、電源同期回路部１６が検出した電源のＯＦＦ／ＯＮに基づき、点灯状態の変更制御をすると判定した場合には、同様に表示装置２０のマイクロコンピュータ２５も、電源同期回路部２２が検出した電源のＯＦＦ／ＯＮに基づき、点灯状態の変更制御がされると判定する。そして、表示装置２０のマイクロコンピュータ２５は、点灯状態の変更制御がされると判定した場合には、変更制御後の点灯状態を示す表示レベルを不揮発性ＲＡＭに設定して、表示部２４に表示させる。つまり、放電灯点灯装置１０がランプの点灯状態を変更制御する場合には、表示装置２０は表示部２４の表示を変更制御後の点灯状態の表示に変更する。
表示装置２０のマイクロコンピュータ２５は、放電灯点灯装置１０のマイクロコンピュータ１９がランプの点灯状態を変更制御するのと同じアルゴリズムにより表示部２４の表示を変更するため、放電灯点灯装置１０がランプの点灯状態を次の明るさに変更制御する場合であっても、初期状態に変更制御する場合であっても、表示装置２０はランプの点灯状態を正しく表示することができる。
【００１５】
以上のように、表示装置２０は、２００Ｖ系に接続された放電灯点灯装置１０の点灯状態を表示することが可能である。また、表示装置２０が１００Ｖ系に接続されていることから明らかなように、表示装置２０は１００Ｖ系に接続された放電灯点灯装置１０の点灯状態を表示することも可能である。つまり、表示装置２０は、１００Ｖ系と２００Ｖ系とのいずれの配電システムに取り付けられた放電灯点灯装置１０であっても、その点灯状態の表示が可能である。
【００１６】
図６は、電源開閉スイッチとして片切りスイッチ３２を用いた場合の照明制御システム１の単相３線式配電システム３０への接続例を示す回路図である。つまり、単相３線式配電システム３０の両端の端子（中性線以外の２線）のいずれか一方の端子（図６では、上側の端子）にＯＦＦ／ＯＮする電源開閉スイッチ（片切りスイッチ３２）が設けられている。
放電灯点灯装置１０は、図１に示す放電灯点灯装置１０と同様に、単相３線式配電システム３０の両端の端子に接続される。
表示装置２０は、単相３線式配電システム３０の中性線に一端が接続されるとともに、他端が片切りスイッチ３２により開閉される端子に接続される。
このように放電灯点灯装置１０と表示装置２０とを接続することにより、電源開閉スイッチとして片切りスイッチ３２を用いた場合であっても、図１に示した照明制御システム１と同様の効果を得ることができる。
【００１７】
図７は、図１に示す照明制御システム１の放電灯点灯装置１０を１００Ｖ系で動作させる場合の照明制御システム１の単相３線式配電システム３０への接続例を示す回路図である。
単相３線式配電システム３０の両端の端子（中性線以外の２線）のいずれか一方の端子（図６では、上側の端子）をＯＦＦ／ＯＮする電源開閉スイッチ（片切りスイッチ３２）が設けられている。
放電灯点灯装置１０は、単相３線式配電システム３０の中性線に一端が接続されるとともに、他端が単相３線式配電システム３０の片切りスイッチ３２により開閉される端子に接続される。
表示装置２０は、単相３線式配電システム３０の中性線に一端が接続されるとともに、他端が片切りスイッチ３２により開閉される端子に接続される。
このように、図１に示した照明制御システム１と同様の効果を得つつ、図１に示した照明制御システム１の放電灯点灯装置１０を１００Ｖ系で動作させることが可能である。
【００１８】
実施の形態２．
この実施の形態では、実施の形態１で説明した照明制御システム１の応用例について説明する。
【００１９】
＜スイッチボックスへの収納＞
図８と図９とは、電源開閉スイッチを収納するスイッチボックスへ表示装置２０の表示部２４を収納した例を示す図である。
図８は、複数の放電灯点灯装置１０、電源開閉スイッチ、及び表示装置２０との関係を示す配線図であり、電源開閉スイッチと表示装置２０とがスイッチボックス６００に収納された場合を示している。
放電灯点灯装置１０は図１の構成であるが、取り付けられたランプだけを示して簡略化している。同様に、表示装置２０は図１の構成であるが、ＬＥＤのみを示して簡略化している。図８に示すように、複数の放電灯点灯装置１０は、電源に並列に接続している。そして、表示装置２０は、電源に対して放電灯点灯装置１０（電源整流回路部１１）と並列に接続する。また、表示装置２０は、電源スイッチが格納されるスイッチボックスに電源スイッチとともに格納される。図９は、表示装置２０と電源スイッチを１個用スイッチボックスに収納する構造を示す図である。図９（ａ）は正面図であり、図９（ｂ）は、Ａ−Ａ’断面図である。
【００２０】
＜ＬＥＤの採用＞
表示装置２０の表示部２４における表示素子としては、最も安価なＬＥＤ（発光体の一例）が適している。ＬＥＤを用いた場合の表示方法としては、例えば、出力の設定として、高出力（全光）、中間出力、低出力の３段階とする場合を想定する。表示装置２０のＬＥＤは、図９（ａ）の場合を想定する。このとき表示装置２０のＬＥＤは、ＬＥＤ１が高出力（全光）、ＬＥＤ２が中出力、ＬＥＤ３が低出力、ＬＥＤ４を省エネ中である旨を知らせるｅｃｏの表示とする。各設定状態の時にのみ一つのＬＥＤが点灯するように制御することで、表示装置２０の電源の効率を向上させることができ、省エネにも有効である。またＬＥＤ４は設定操作時のみの短時間の点灯または点滅で十分効果があるものである。さらにＬＥＤを点滅させることでさらに効率化を図ることができる。なお、表示部２４の表示素子としては、単体のＬＥＤに限定するものではなく、ＬＣＤ（Ｌｉｑｕｉｄ  Ｃｒｙｓｔａｌ  Ｄｉｓｐｌａｙ）、ＬＥＤのセグメント器などを用いてもかまわない。省エネ効果をこの照明装置を使用している人に知らしめる為には、図９（ａ）のようにＬＥＤを直線上に配置し、高出力時ＬＥＤ１のみ、中出力時はＬＥＤ１、２を点灯するなど、ＬＥＤを略直線状に配置して棒グラフ状にすることも効果的である。あるいは、放電灯点灯装置が電源オフの場合に加え、全光点灯時はＬＥＤを点灯させないようにしてもよい。
【００２１】
＜ＳＳＲの採用＞
図１０は、電源のＯＦＦ／ＯＮの操作方法として、マイクロコンピュータ２５により制御された半導体式接点若しくは機械式接点による方法を採用した例を示す図である。
上記同様、放電灯点灯装置１０は図１の構成であるが、取り付けられたランプだけを示して簡略化している。同様に、表示装置２０は図１の構成であるが、ＬＥＤのみを示して簡略化している。
図１０では、マイクロコンピュータ２５とＳＳＲ（Ｓｏｌｉｄ  Ｓｔａｔｅ  Ｒｅｌａｙ）とが、操作変換部を構成している。ＳＳＲを用いる場合は、所望の出力に１操作で設定することのできるダイレクトスイッチ２６ａ，２６ｂ，２６ｃにより、電源開閉スイッチの複雑なＯＦＦ／ＯＮ操作が、マイクロコンピュータ２５がＳＳＲを制御することで可能となる。表示素子（ＬＥＤ）の制御は、マイクロコンピュータ２５が行う。すなわち、マイクロコンピュータ２５は、ダイレクトスイッチ２６ａ〜２６ｃのいずれかが操作されると、この操作を検知して、ＳＳＲを制御する。このマイクロコンピュータ２５による制御は、ダイレクトスイッチ２６ａ〜２６ｃに対応する電源開閉スイッチのＯＦＦ／ＯＮを作り出す制御である。例えば、ダイレクトスイッチ２６ｂ（７０％（中間出力））が操作された場合、マイクロコンピュータ２５は、ダイレクトスイッチ２６ｂが操作されたことを検知して、調光レベルが７０％になるまで点灯状態の変更制御処理が実行されるよう、実施の形態１における電源開閉スイッチのＯＦＦ／ＯＮ操作を作り出す。マイクロコンピュータ２５がＳＳＲを制御することにより作り出された電源開閉スイッチのＯＦＦ／ＯＮ状態（スイッチング状態）により、電力が放電灯点灯装置１０へ供給される。よって、放電灯点灯装置１０のそれぞれは、点灯状態の変更制御処理により調光レベルを変更する。一方、マイクロコンピュータ２５は、ダイレクトスイッチ２６ｂ（点灯状態の変更制御処理）が操作されると、複数のＬＥＤから構成される表示部２４に調光レベル７０％に対応する表示を表示させる。
【００２２】
図１１は、操作変換部が、ダイレクトスイッチに代えて、赤外線リモコン２８を用いる場合を示す図である。操作変換部は、ダイレクトスイッチに代えて、赤外線受光部２７（受信部）を備えた構成である。赤外線リモコン２８は、ダイレクトスイッチ２６ａ〜２６ｃに相当するいずれかの信号（出力対応信号）を送信し、赤外線受光部２７がこの信号を受信する。その後の動作は、図１０のダイレクトスイッチの場合と同様である。
【００２３】
＜着脱方式＞
図１２は、表示装置２０を表示装置用コンセント４０に対して、着脱可能にした構成を示す図である。
上記同様、放電灯点灯装置１０は図１の構成であるが、取り付けられたランプだけを示して簡略化している。同様に、表示装置２０は図１の構成であるが、ＬＥＤのみを示して簡略化している。
壁、天井または照明装置に表示装置用コンセント４０を設ける。この表示装置用コンセント４０に、表示装置２０に設けた表示装置用プラグ４１を接続する。これにより、表示装置２０を着脱可能とした。表示装置２０は、電源に対して放電灯点灯装置１０と並列に接続する表示装置用コンセント４０に対して接続する、表示装置用プラグ４１を備える。表示装置２０の電源同期回路部２２は、表示装置用コンセント４０に接続された表示装置用プラグ４１を介して、電源同期回路部１６と同じ結果を検出する。表示装置２０に内蔵されるマイクロコンピュータ２５は、放電灯点灯装置１０に内蔵されるマイクロコンピュータ１９が電源同期回路部１６の検出結果に基づき新たな設定として確定する設定値と同じ値を、電源同期回路部２２の検出結果に基づき表示レベル（変更制御後の点灯状態）として確定し、確定した表示レベルを表示部２４に表示させる。例えば、表示装置２０が、スペースの都合上、図９に示したようなスイッチボックスに収められない場合、本方式をとることにより、出力設定時のみ表示装置２０を表示装置用コンセント４０に接続し、設定後は表示装置２０を取り外すことができる。また、表示装置２０を着脱式にしたことにより、１個の表示装置２０で複数の照明器具を設定することが可能となり、省資源、省エネとなる。
【００２４】
＜電源端子台５０の採用＞
図１３は、表示装置２０を天井埋め込み構造にした図である。また、図１４は、表示装置２０の構成を示す図である。
図１４の表示装置２０は、図１の表示装置２０に対して、ダイオードブリッジの入力側に電源端子台５０を備えている。表示装置２０は、天井取り付け構造とされ、送り配線を可能とする電源端子台５０を備える。表示装置２０の電源同期回路部２２は、電源端子台５０を介して、放電灯点灯装置１０の電源同期回路部１６と同じ結果を検出する。表示装置２０のマイクロコンピュータ２５は、放電灯点灯装置１０のマイクロコンピュータ１９が電源同期回路部１６の検出結果に基づき変更する調光レベルと同じ調光レベルを、電源同期回路部２２の検出結果に基づき表示レベルとして求め、求めた表示レベルを表示部２４に表示させる。
【図面の簡単な説明】
【００２５】
【図１】照明制御システム１に内蔵される放電灯点灯装置１０の回路図。
【図２】電源開閉スイッチのＯＦＦ／ＯＮ操作によるランプの点灯状態を制御する動作の一例を示す図。
【図３】電源開閉スイッチのＯＦＦ／ＯＮ操作によるランプの点灯状態を制御する動作の図２とは異なる例を示す図。
【図４】電源開閉スイッチのＯＦＦ／ＯＮ操作によるランプの点灯状態を制御する動作の図２，３とは異なる例を示す図。
【図５】電源開閉スイッチのＯＦＦ／ＯＮ操作によるランプの点灯状態を初期化する動作の一例を示す図。
【図６】電源開閉スイッチとして片切りスイッチ３２を用いた場合の照明制御システム１の単相３線式配電システム３０への接続例を示す回路図。
【図７】図１に示す照明制御システム１の放電灯点灯装置１０を１００Ｖ系で動作させる場合の照明制御システム１の単相３線式配電システム３０への接続例を示す回路図。
【図８】複数の放電灯点灯装置１０、電源開閉スイッチ、及び表示装置２０との関係を示す配線図。
【図９】表示装置２０と電源スイッチを１個用スイッチボックスに収納する構造を示す図。
【図１０】電源のＯＦＦ／ＯＮの操作方法として、マイクロコンピュータ２５により制御された半導体式接点若しくは機械式接点による方法を採用した例を示す図。
【図１１】操作変換部が、ダイレクトスイッチに代えて、赤外線リモコン２８を用いる場合を示す図。
【図１２】表示装置２０を表示装置用コンセント４０に対して、着脱可能にした構成を示す図。
【図１３】表示装置２０を天井埋め込み構造にした図。
【図１４】表示装置２０の構成を示す図。
【符号の説明】
【００２６】
１  照明制御システム、１０  放電灯点灯装置、１１  電源整流回路部、１２  アクティブフィルタ回路部、１３  インバータ回路部、１４  負荷回路部、１５  ドライブ回路部、１６  電源同期回路部、１７  制御電源回路部、１８  ランプ検出回路部、１９  マイクロコンピュータ、２０  表示装置、２１  電源整流回路部、２２  電源同期回路部、２３  制御電源回路部、２４  表示部、２５  マイクロコンピュータ、２６ａ，２６ｂ，２６ｃ  ダイレクトスイッチ、２７  赤外線受光部、２８  赤外線リモコン、３０  単相３線式配電システム、３１  両切りスイッチ、３２  片切りスイッチ、４０  表示装置用コンセント、４１  表示装置用プラグ、５０  電源端子台。
【図１】
2009259489.tif 000003
【図２】
2009259489.tif 000004
【図３】
2009259489.tif 000005
【図４】
2009259489.tif 000006
【図５】
2009259489.tif 000007
【図６】
2009259489.tif 000008
【図７】
2009259489.tif 000009
【図８】
2009259489.tif 000010
【図９】
2009259489.tif 000011
【図１０】
2009259489.tif 000012
【図１１】
2009259489.tif 000013
【図１２】
2009259489.tif 000014
【図１３】
2009259489.tif 000015
【図１４】
2009259489.tif 000016